(57)【要約】【課題】ハンディタイプ掃除機としての機能を有しつつ照明装置が配設される充電式クリーナにおいて、照明の使用目的に応じて使用目的に合致した照明方法を選択できるようにする。【解決手段】照明装置４０は、照明の機能目的が互いに相違する、ＬＥＤ４５を用いて照明する発光ダイオード照明機能（ＬＥＤ照明部４１）と、蛍光灯５５を用いて照明する蛍光灯照明機能（蛍光灯照明部５１）と、の２種類の照明機能を備える。このため、ＬＥＤ照明部４１を利用して常備灯のようにスポット的に照らし出すようにしたり、蛍光灯照明部５１を利用して近傍周囲を広範囲で照らし出すようにしたりすることができる。また、コントローラ６５は、単独スイッチ６６、切替スイッチ６７、操作トリガ２４からの操作入力に応じて、送風機２２、ＬＥＤ４５、蛍光灯５５のいずれかを選択してオンオフ動作の制御をしている。【選択図】図１
2011206339.tif 000002
【特許請求の範囲】
【請求項１】
ハンディタイプ掃除機としての機能を有しつつ照明装置が配設される充電式クリーナであって、
前記照明装置は、照明の機能目的が互いに相違する複数種類の照明機能を備え、
充電式クリーナ本体もしくは前記照明装置のいずれかには、照明の使用目的に応じて該複数種類の照明機能のいずれかを選択したり該複数種類の照明機能をオンオフ操作したりする照明選択操作部が設けられていることを特徴とする充電式クリーナ。
【請求項２】
請求項１に記載の充電式クリーナにおいて、
前記照明選択操作部の選択操作には、前記ハンディタイプ掃除機としての動作をさせる掃除機動作用の操作トリガのオンオフ操作に応じて、前記照明装置における前記複数種類の照明機能のうち少なくとも１つの照明機能が該オンオフ操作に連動してオンオフ動作するように、掃除機動作と照明機能動作とを連動させる状態とする選択操作が含まれていることを特徴とする充電式クリーナ。
【請求項３】
請求項２に記載の充電式クリーナにおいて、
前記照明選択操作部の選択操作には、前記掃除機動作用の操作トリガのオンオフ操作に応じて、前記照明装置における前記複数種類の照明機能のうち少なくとも１つの照明機能が、前記ハンディタイプ掃除機としての動作とは非連動により単独でオンオフ動作するように、前記照明機能動作を非連動単独操作可能な状態に切り替える選択操作が含まれていることを特徴とする充電式クリーナ。
【請求項４】
請求項２または請求項３に記載の充電式クリーナにおいて、
前記照明装置における前記複数種類の照明機能には、発光ダイオードを用いて照明する発光ダイオード照明機能と、蛍光灯を用いて照明する蛍光灯照明機能とを含み、
前記掃除機動作用の操作トリガのオンオフ操作に応じてオンオフ動作する前記複数種類の照明機能には、前記発光ダイオード照明機能が設定されていることを特徴とする充電式クリーナ。
【発明の詳細な説明】
【技術分野】
【０００１】
本発明は、ハンディタイプ掃除機としての機能を有しつつ照明装置が配設される充電式クリーナに関する。
【背景技術】
【０００２】
従来、いわゆるハンディタイプ掃除機として分類される充電式クリーナが知られている。このような充電式クリーナは、充電式電池を具備して構成され、不使用時に充電し、使用時にコードレス状態で使用することができるようになっている。
ところで、このような充電式クリーナにあっては、このようなハンディタイプ掃除機の機能のほか、照明灯の機能を付属するものが知られている（例えば、特許文献１、特許文献２参照）。このような照明灯の機能を付属する充電式クリーナによれば、ハンディタイプ掃除機として利用しつつ、照明灯としても利用することができて、利便性の高い充電式クリーナとなる。
【先行技術文献】
【特許文献】
【０００３】
【特許文献１】特開２００９−２７９２２９
【特許文献２】実開昭６１−１６４６３７
【発明の概要】
【発明が解決しようとする課題】
【０００４】
しかしながら、昨今の照明方法としては、照明の使用目的に応じて多様化しつつある。すなわち、昨今の照明方法には、いわゆる常備灯のようにスポット的に照らし出す照明方法や、近傍周囲を広範囲で照らし出す照明方法等がある。このため、使用者の照明の使用目的に応じて、この使用目的に合致する照明方法を選択できるようにしておきたいという要請がある。
【０００５】
本発明は、このような事情に鑑みなされたものであって、本発明が解決しようとする課題は、ハンディタイプ掃除機としての機能を有しつつ照明装置が配設される充電式クリーナにおいて、照明の使用目的に応じて使用目的に合致した照明方法を選択できるようにすることにある。
【課題を解決するための手段】
【０００６】
上記した課題を解決するにあたって、本発明に係る充電式クリーナは次の手段を採用する。
すなわち、本発明の第１の発明に係る充電式クリーナは、ハンディタイプ掃除機としての機能を有しつつ照明装置が配設される充電式クリーナであって、前記照明装置は、照明の機能目的が互いに相違する複数種類の照明機能を備え、充電式クリーナ本体もしくは前記照明装置のいずれかには、照明の使用目的に応じて該複数種類の照明機能のいずれかを選択したり該複数種類の照明機能をオンオフ操作したりする照明選択操作部が設けられていることを特徴とする。
なお、照明の機能目的が互いに相違する複数種類の照明機能としては、照明光度や照明範囲を鑑みて設定されるものであったり、たとえば点滅や点灯色など適宜の制御点灯も鑑みて設定されるものであったりする。
この第１の発明に係る充電式クリーナによれば、照明装置は照明の機能目的が互いに相違する複数種類の照明機能を備え、複数種類の照明機能のいずれかを選択したり照明機能をオンオフ操作したりする照明選択操作部が設けられているので、照明の使用目的に応じて照明機能を選択してオンオフ操作することができる。
これによって、ハンディタイプ掃除機としての機能を有しつつ、照明の使用目的に応じて使用目的に合致した照明方法を選択できる。
さらに、一般にハンディタイプ掃除機として分類される充電式クリーナは、日頃から頻繁に利用するものであるため、保管場所も周知で忘れ難いものとなっている。このため、このようなハンディタイプ掃除機を常備灯として利用する場合には、日頃使用しているとおりに利用することができて有利である。また、このような充電式クリーナは、日頃から利用するものであるため、経年的な不使用による電池切れとなる場合も少なく、緊急時に利用する場合にも電池切れとなってしまって利用できないといった不具合も生じ難いものとなる。なお、この充電式クリーナに具備される充電式電池にリチウムイオンバッテリを用いた場合には、リチウムイオンバッテリの特性となる自己放電の少ない性質によって、たとえ経年的な不使用におかれる場合でも電池切れとなり難く有利である。
【０００７】
第２の発明に係る充電式クリーナは、前記第１の発明に係る充電式クリーナにおいて、前記照明選択操作部の選択操作には、前記ハンディタイプ掃除機としての動作をさせる掃除機動作用の操作トリガのオンオフ操作に応じて、前記照明装置における前記複数種類の照明機能のうち少なくとも１つの照明機能が該オンオフ操作に連動してオンオフ動作するように、掃除機動作と照明機能動作とを連動させる状態とする選択操作が含まれていることを特徴とする。
この第２の発明に係る充電式クリーナによれば、照明選択操作部の選択操作には、掃除機動作と照明機能動作とを連動させる状態とする選択操作が含まれているので、ハンディタイプ掃除機としてのオンオフ動作と連動して、照明装置における複数種類の照明機能のうち少なくとも１つの照明機能もオンオフ動作させることができる。
これによって、充電式クリーナをハンディタイプ掃除機として使用する際に、掃除する場所を照らし出すことができて、掃除のし易いものとすることができる。
【０００８】
第３の発明に係る充電式クリーナは、前記第２の発明に係る充電式クリーナにおいて、前記照明選択操作部の選択操作には、前記掃除機動作用の操作トリガのオンオフ操作に応じて、前記照明装置における前記複数種類の照明機能のうち少なくとも１つの照明機能が、前記ハンディタイプ掃除機としての動作とは非連動により単独でオンオフ動作するように、前記照明機能動作を非連動単独操作可能な状態に切り替える選択操作が含まれていることを特徴とする。
この第３の発明に係る充電式クリーナによれば、照明選択操作部の選択操作には、照明機能動作を非連動単独操作可能な状態に切り替える選択操作が含まれているので、掃除機動作用の操作トリガのオンオフ操作に応じて、照明装置における複数種類の照明機能のうち少なくとも１つの照明機能が単独でオンオフ動作することとなる。
これによって、一般のハンディタイプ掃除機のように充電式クリーナを片手で握りながら、照明装置として使用することができる。つまり、そもそもハンディタイプ掃除機として設計される充電式クリーナは、片手で握り易いものとなっている上、トリガのオンオフ操作も握り手にて操作できるものとなっている。したがって、この充電式クリーナを照明装置として使用した場合、片手で握れて操作性の優れたものとなる。
【０００９】
第４の発明に係る充電式クリーナは、前記第２または前記第３の発明に係る充電式クリーナにおいて、前記照明装置における前記複数種類の照明機能には、発光ダイオードを用いて照明する発光ダイオード照明機能と、蛍光灯を用いて照明する蛍光灯照明機能とを含み、前記掃除機動作用の操作トリガのオンオフ操作に応じてオンオフ動作する前記複数種類の照明機能には、前記発光ダイオード照明機能が設定されていることを特徴とする。
この第４の発明に係る充電式クリーナによれば、照明装置における複数種類の照明機能には、発光ダイオードを用いて照明する発光ダイオード照明機能と、蛍光灯を用いて照明する蛍光灯照明機能とを含んでいるので、発光ダイオード照明機能を利用して常備灯のようにスポット的に照らし出すようにしたり、蛍光灯照明機能を利用して近傍周囲を広範囲で照らし出すようにしたりすることができる。
さらに、この第４の発明に係る充電式クリーナによれば、掃除機動作用の操作トリガのオンオフ操作に応じてオンオフ動作する複数種類の照明機能には、発光ダイオード照明機能が設定されているので、常備灯のようにスポット的に照らし出すような際に、片手で握った状態で操作性良く照らし出すことができる。特に、常備灯のようにスポット的に照らし出すには、上記したように片手で握っていると、発光ダイオード照明機能による投射光の向きをコントロールし易くする。これによって、この充電式クリーナを常備灯として使用した場合、片手で握れて操作性の優れたものとなる。
【発明の効果】
【００１０】
第１の発明に係る充電式クリーナによれば、ハンディタイプ掃除機としての機能を有しつつ、照明の使用目的に応じて使用目的に合致した必要な照明方法を選択することができる。
第２の発明に係る充電式クリーナによれば、充電式クリーナをハンディタイプ掃除機として使用する際に、掃除する場所を照らし出すことができて、掃除のし易いものとすることができる。
第３の発明に係る充電式クリーナによれば、この充電式クリーナを照明装置として使用した場合、片手で握れて操作性の優れたものとなる。
第４の発明に係る充電式クリーナによれば、常備灯のようにスポット的に照らし出すようにしたり、近傍周囲を広範囲で照らし出すようにしたり、この充電式クリーナを常備灯として使用した場合にも、片手で握れて操作性の優れたものとなる。
【図面の簡単な説明】
【００１１】
【図１】一部切欠いて断面視した充電式クリーナの一部切欠き断面図である。
【図２】照明選択操作装置と、照明装置と、操作トリガとの電気的制御ブロックを示すブロック図である。
【発明を実施するための形態】
【００１２】
以下に本発明に係る充電式クリーナを実施するための実施の形態について、図面を参照しながら説明する。図１は、一部切欠いて断面視した充電式クリーナ１０の一部切欠き断面図である。この充電式クリーナ１０は、ハンディタイプ掃除機としての機能を有する充電式クリーナ本体２０と、この充電式クリーナ本体２０に対して配設される照明装置４０とを備える。
図１に示すように、充電式クリーナ本体２０は、前後方向に分割される前後２分割構造により構成される。充電式クリーナ本体２０は、前後２分割構造の後側部分を構成するクリーナ基体２１と、前後２分割構造の前側部分を構成するノズル構成部２６とを備える。
クリーナ基体２１は、概略、適宜の形状にて構成される基体ハウジング２１１と、この基体ハウジング２１１内に装置される送風機２２とを備える。基体ハウジング２１１は、後に詳述するが、操作トリガ２４が配設されたグリップ部２３と、リチウムイオンバッテリ３０を装着するためのバッテリ装着部２５とが設けられている。なお、これらグリップ部２３およびバッテリ装着部２５は、基体ハウジング２１１のうち後側部分に設けられる。これに対して、基体ハウジング２１１のうち前側部分には、上記した送風機２２が内蔵される。
送風機２２は、回転駆動力を発生する駆動モータ２２１と、この駆動モータ２２１により発生した回転駆動力を受けて回転する送風ファン２２５とを備える。駆動モータ２２１は、広く利用されている電動モータであり、バッテリ装着部２５に装着されるリチウムイオンバッテリ３０から電力が供給されて回転駆動軸２２２を回転駆動させる。この回転駆動軸２２２は、送風ファン２２５の回転軸として機能するようになっており、送風ファン２２５は、回転駆動軸２２２の回転駆動を受けて回転駆動する。ここで、送風ファン２２５は、充電式クリーナ本体２０内部にて前から後ろに向く方向で送風する軸流ファンとして構成される。このため、後にも説明するが、送風機２２によりノズル２８のノズル口２８１から吸入された空気は、ノズル構成部２６内部を通過した後に送風ファン２２５を通過して、送風ファン２２５後側のクリーナ基体２１から外部に排出される。
【００１３】
グリップ部２３は、図示するような手握り形状を有して形成される。このグリップ部２３は、ノズル２８の延びる方向と同方向で手握りすることができる開口形状を有して形成されている。このグリップ部２３を手握りした場合の人差し指部分には、操作トリガ２４が配設されている。この操作トリガ２４は、引き操作することにより操作オン状態となるような掃除機動作用の操作トリガである。このため、引き操作されていない自然状態時には、内部の戻りばねによって初期位置に位置することとなり、操作オフ状態となる。
バッテリ装着部２５は、上記したグリップ部２３の下側部分に設けられており、上記したようにリチウムイオンバッテリ３０が装着される構造にて構成される。なお、このリチウムイオンバッテリ３０は、図示していない充電器にて充電されるものであり、自己放電が小さい特性を有する。このため、このリチウムイオンバッテリ３０は、長い間充電されていなくても充電されたままの状態が維持され易い特性を有するものとなっている。
なお、この充電式クリーナ本体２０にあっては、バッテリ装着部２５に対して装着状態となっているリチウムイオンバッテリ３０の後面部分は、グリップ部２３の後側部分と平面で面一となる縦置き面１０１が形成される。この縦置き面１０１は、充電式クリーナ本体２０（クリーナ基体２１、ノズル構成部２６）が延びる方向と直交する方向に延在する平面にて形成されている。このため、この充電式クリーナ１０は、この縦置き面１０１を接面させて縦置きすることができるものとなっている。
【００１４】
ノズル構成部２６は、ノズル２８を具備するノズルハウジング２６１と、このノズルハウジング２６１の内部に設けられるフィルタ部２７とを備える。ノズルハウジング２６１は、ノズル２８を具備し略カップ状に形成されるものである。このノズルハウジング２６１の前側部分には、ノズル２８が設けられている。このノズル２８は、ノズルハウジング２６１の内外を連通するノズル口２８１が形成されている。このノズルハウジング２６１の下側部分には、横置き用脚部２９が、このノズルハウジング２６１と一体化されて設けられている。この横置き用脚部２９の下面部分は、バッテリ装着部２５に対して装着状態となっているリチウムイオンバッテリ３０の下面部分と同一平面をなす横置き面１０２を形成する。このため、横置き用脚部２９の下面部分となる横置き面１０２は、リチウムイオンバッテリ３０の下面部分とともに接面させると、充電式クリーナ１０を横置きすることができるものとなる。
フィルタ部２７は、略カップ状に形成される。このフィルタ部２７は、送風機２２によってノズル２８のノズル口２８１から吸入された空気を濾過するフィルタとして機能する。このため、フィルタ部２７により、濾過された空気は上記したように送風ファン２２５を通過して送風ファン２２５後側のクリーナ基体２１から外部に排出されるが、濾過された空気内のゴミはノズルハウジング２６１の内部に残ることとなる。
【００１５】
次に、上記した充電式クリーナ本体２０に配設される照明装置４０について説明する。図示するように、照明装置４０は、上記したクリーナ基体２１の基体ハウジング２１１と一体化されて配設されるものであり、ノズル構成部２６の上部に載置されるように配置される。
照明装置４０は、照明の機能目的が互いに相違する複数種類の照明機能を備えて構成される。すなわち、照明装置４０は、白色発光ダイオード（以下、「ＬＥＤ（ｌｉｇｈｔ  ｅｍｉｔｔｉｎｇ  ｄｉｏｄｅ）」と称する）４５を用いて照明する発光ダイオード照明機能と、蛍光灯５５を用いて照明する蛍光灯照明機能との２種類の照明機能を備える。
照明装置４０の発光ダイオード照明機能としては、ＬＥＤ照明部４１にて構成される。このＬＥＤ照明部４１は、照明装置４０の最前位置に配設されている。このＬＥＤ照明部４１は、ノズル２８が延びる方向に沿って充電式クリーナ本体２０前方を、フラッシュライト（懐中電灯）のようにスポット的に照らし出すことができる。
具体的にな構成としては、ＬＥＤ照明部４１は、概略、ハウジング４２と、集光ミラー４３と、ＬＥＤ４５と、透過カバー４７とを備える。ハウジング４２は、上記したクリーナ基体２１の基体ハウジング２１１と一体化され、クリーナ基体２１にて支持される。集光ミラー４３は、ハウジング４２にて支持され、適宜の凹面鏡構造を有する。この集光ミラー４３は、充電式クリーナ本体２０前方を照らし出すために、ＬＥＤ４５が発光した光を集光する機能を有する。ＬＥＤ４５は、適宜の白色発光ダイオードにより構成され、集光ミラー４３の中心にて適宜の電気回路（ＬＥＤ用の専用電気回路）に電気的に接続されて支持されている。透過カバー４７は、適宜の透過性樹脂にて形成されており、ハウジング４２にて支持される。この透過カバー４７は、集光ミラー４３により集光したＬＥＤ４５の光を透過し、この透過した光は、上記したように充電式クリーナ本体２０前方を、スポット的に照らし出すものとなっている。
照明装置４０の蛍光灯照明機能としては、蛍光灯照明部５１にて構成される。この蛍光灯照明部５１は、照明装置４０の中間位置に配設されている。この蛍光灯照明部５１は、ノズル２８が延びる方向に沿って蛍光灯５５が配設されることにより、充電式クリーナ本体２０の近傍周囲を広範囲で照らし出すことができる。
具体的にな構成としては、蛍光灯照明部５１は、概略、透明樹脂ハウジング５２と、蛍光灯５５とを備える。透明樹脂ハウジング５２は、上記したクリーナ基体２１の基体ハウジング２１１と一体化され、クリーナ基体２１にて支持される。この透明樹脂ハウジング５２は、全方向に亘って光を透過することができるように、全周に亘って透明樹脂にて形成されてている。蛍光灯５５は、広く利用されている蛍光灯と同様に構成されるものであり、全方向に亘って光を出すものである。この蛍光灯５５は、透明樹脂ハウジング５２内部に配設される適宜の電気回路（蛍光灯用の専用電気回路）に電気的に接続されて支持されている。このように蛍光灯照明部５１の蛍光灯５５は、充電式クリーナ本体２０の近傍周囲を広範囲で照らし出すものとなっている。
【００１６】
図１に示すように、上記した充電式クリーナ本体２０の上部であり、上記した照明装置４０の後部には、本発明に係る照明選択操作部に相当する照明選択操作装置６０が、これら充電式クリーナ本体２０および照明装置４０の両方と一体化されるようにして配設されている。この照明選択操作装置６０は、使用者の使用目的に応じて、上記したＬＥＤ照明部４１（発光ダイオード照明機能）および蛍光灯照明部５１（蛍光灯照明機能）のいずれかを選択したり、これらのＬＥＤ照明部４１および蛍光灯照明部５１をオンオフ操作したりするものである。なお、図２は、照明選択操作装置６０と、照明装置４０と、操作トリガ２４との電気的制御ブロックを示すブロック図である。
この照明選択操作装置６０は、図１に示すように、概略、コントローラ６５と、単独スイッチ６６と、切替スイッチ６７とを備える。
照明選択操作装置６０を構成するコントローラ６５には、図２に示すように、この照明選択操作装置６０を構成する単独スイッチ６６および切替スイッチ６７が電気的に接続されているほか、充電式クリーナ本体２０の操作トリガ２４、送風機２２、リチウムイオンバッテリ３０、照明装置４０が電気的に接続されている。このコントローラ６５は、単独スイッチ６６、切替スイッチ６７、操作トリガ２４からの操作入力に応じて、送風機２２、ＬＥＤ４５、蛍光灯５５のいずれかを選択してオンオフ動作の制御をしている。このため、このコントローラ６５には、これら送風機２２、ＬＥＤ４５、蛍光灯５５に対して電力供給するために、リチウムイオンバッテリ３０が接続されている。
単独スイッチ６６は、押下するたびにコントローラ６５に入力信号を送る信号入力スイッチである。ここで、コントローラ６５は、単独スイッチ６６の押下のたびに入力信号を受信することとなる。この際、コントローラ６５は、この入力信号を受信のたびに、次のように制御がシフトするものとなっている。すなわち、コントローラ６５が単独スイッチ６６から入力信号を１回受信すると、ＬＥＤ４５を点灯させるようにオン動作させる。また、コントローラ６５が単独スイッチ６６から入力信号を２回受信すると、ＬＥＤ４５を消灯させるようにオフ動作させる。また、コントローラ６５が単独スイッチ６６から入力信号を３回受信すると、蛍光灯５５を点灯させるようにオン動作させる。また、コントローラ６５が単独スイッチ６６から入力信号を４回受信すると、蛍光灯５５を消灯させるようにオフ動作させる。また、コントローラ６５が単独スイッチ６６から入力信号を５回受信すると、ＬＥＤ４５および蛍光灯５５の両方を点灯させるようにオン動作させる。また、コントローラ６５が単独スイッチ６６から入力信号を６回受信すると、ＬＥＤ４５および蛍光灯５５の両方を消灯させるようにオフ動作させる。
また、切替スイッチ６７も、押下するたびにコントローラ６５に入力信号を送る信号入力スイッチである。ここで、コントローラ６５は、切替スイッチ６７の押下のたびに入力信号を受信することとなる。この際、コントローラ６５は、この入力信号を受信のたびに、次のように制御がシフトするものとなっている。すなわち、コントローラ６５が切替スイッチ６７から入力信号を１回受信すると、操作トリガ２４の操作によって送風機２２とＬＥＤ４５を連動操作できる制御状態とする。つまり、掃除機動作と照明機能動作とを、操作トリガ２４の操作によって連動させるものとする。また、コントローラ６５が切替スイッチ６７から入力信号を２回受信すると、操作トリガ２４の操作によってＬＥＤ４５だけを送風機２２と非連動で単独操作できる制御状態とする。また、コントローラ６５が切替スイッチ６７から入力信号を３回受信すると、操作トリガ２４の操作によっては送風機２２だけをＬＥＤ４５と非連動で単独操作できる制御状態とする。なお、この状態は、通常のハンディタイプ掃除機としての動作制御状態である。
【００１７】
上記したように構成された充電式クリーナ１０によれば、次のような作用効果を奏することができる。
すなわち、上記した照明装置４０は、照明の機能目的が互いに相違する２種類の照明機能を備える。つまり、照明装置４０は、ＬＥＤ４５を用いて照明する発光ダイオード照明機能と、蛍光灯５５を用いて照明する蛍光灯照明機能との２種類の照明機能を備える。ここで、充電式クリーナ１０によれば、この２種類の照明機能のいずれかを選択したり、この２種類の照明機能をオンオフ操作したりする照明選択操作装置６０（照明選択操作部）が設けられているので、照明の使用目的に応じて照明機能を選択してオンオフ操作することができる。これによって、ハンディタイプ掃除機としての機能を有しつつ、照明の使用目的に応じて使用目的に合致した照明方法を選択できる。
また、上記した充電式クリーナ１０によれば、照明選択操作装置６０の選択操作には、掃除機動作と照明機能動作とを連動させる状態とする選択操作（切替スイッチ６７の１回押下）が含まれているので、ハンディタイプ掃除機としてのオンオフ動作と連動して、ＬＥＤ４５を用いて照明する発光ダイオード照明機能もオンオフ動作させることができる。これによって、充電式クリーナ１０をハンディタイプ掃除機として使用する際に、掃除する場所を照らし出すことができて、掃除のし易いものとすることができる。
また、上記した充電式クリーナ１０によれば、照明選択操作装置６０の選択操作には、照明機能動作を非連動単独操作可能な状態に切り替える選択操作（切替スイッチ６７の２回押下）が含まれているので、掃除機動作用の操作トリガ２４のオンオフ操作に応じて、ＬＥＤ４５を用いて照明する発光ダイオード照明機能を単独でオンオフ動作することとなる。これによって、一般のハンディタイプ掃除機のように充電式クリーナ１０を片手で握りながら、ＬＥＤ照明部４１（照明装置４０）として使用することができる。つまり、そもそもハンディタイプ掃除機として設計される充電式クリーナ１０は、片手で握り易いものとなっている上、操作トリガ２４のオンオフ操作も握り手にて操作できるものとなっているので、この充電式クリーナ１０をＬＥＤ照明部４１（照明装置４０）として使用した場合、片手で握れて操作性の優れたものとなる。
また、上記した充電式クリーナ１０によれば、照明装置４０における２種類の照明機能には、ＬＥＤ４５を用いて照明するＬＥＤ照明部４１（発光ダイオード照明機能）と、蛍光灯５５を用いて照明する蛍光灯照明部５１（蛍光灯照明機能）とを含んでいるので、ＬＥＤ照明部４１を利用して常備灯のようにスポット的に照らし出すようにしたり、蛍光灯照明部５１を利用して近傍周囲を広範囲で照らし出すようにしたりすることができる。
さらに、上記した充電式クリーナ１０によれば、操作トリガ２４のオンオフ操作に応じてオンオフ動作する照明機能としては、ＬＥＤ照明部４１（発光ダイオード照明機能）が設定されているので、常備灯のようにスポット的に照らし出すような際に、片手で握った状態で操作性良く照らし出すことができる。特に、常備灯のようにスポット的に照らし出すには、上記したように片手で握っていると、ＬＥＤ照明部４１による投射光の向きをコントロールし易くする。これによって、この充電式クリーナ１０を常備灯として使用した場合、片手で握れて操作性の優れたものとなる。
【００１８】
なお、本発明に係る充電式クリーナにあっては、上記した実施の形態に限定されるものではなく、次のように適宜個所を変更して構成するようにしてもよい。
すなわち、上記した実施の形態における充電式クリーナ１０にあっては、照明装置４０が、ＬＥＤ４５を用いて照明する発光ダイオード照明機能（ＬＥＤ照明部４１）と、蛍光灯５５を用いて照明する蛍光灯照明機能（蛍光灯照明部５１）との２種類の照明機能を備えて構成されるものであった。しかしながら、本発明に係る複数種類の照明機能としては、照明の機能目的が互いに相違するものであれば、上記した２種類に加えて適宜の照明機能を有した照明部が新たに設けられるものであってよい。さらには、照明の機能目的が互いに相違するものとしては、照明光度や照明範囲が異なるものも含み、たとえば点滅や点灯色など適宜の制御点灯も含み、複数種類を上記したＬＥＤ照明部４１のみで制御点灯するものであってもよい。
また、上記した実施の形態における充電式クリーナ１０にあっては、操作トリガ２４の操作によって送風機２２と連動操作できる制御状態となるのは、ＬＥＤ照明部４１のＬＥＤ４５に設定されるものであった。しかしながら、本発明に係る掃除機動作用の操作トリガのオンオフ操作に連動してオンオフ動作する照明機能としては、蛍光灯５５で設定されるものであってもよく、ＬＥＤ４５および蛍光灯５５の両者に設定されるものであってもよい。さらには、操作トリガ２４のオンオフ操作に応じて、掃除機動作を連動させずに蛍光灯５５単独でオンオフ動作させたり、掃除機動作を連動させずにＬＥＤ４５および蛍光灯５５の両者をともにオンオフ動作させたりするものであってもよい。
【符号の説明】
【００１９】
１０  充電式クリーナ
２０  充電式クリーナ本体
２１  クリーナ基体
２１１  基体ハウジング
２２  送風機
２２１  駆動モータ
２２２  回転駆動軸
２２５  送風ファン
２３  グリップ部
２４  操作トリガ
２５  バッテリ装着部
２６  ノズル構成部
２６１  ノズルハウジング
２７  フィルタ部
２８  ノズル
２８１  ノズル口
２９  横置き用脚部
３０  リチウムイオンバッテリ
４０  照明装置
４１  ＬＥＤ照明部（発光ダイオード照明機能）
４２  ハウジング
４３  集光ミラー
４７  透過カバー
５１  蛍光灯照明部（蛍光灯照明機能）
５２  透明樹脂ハウジング
５５  蛍光灯
６０  照明選択操作装置（照明選択操作部）
６５  コントローラ
６６  単独スイッチ
６７  切替スイッチ
１０１  縦置き面
１０２  横置き面
【図１】
2011206339.tif 000003
【図２】
2011206339.tif 000004